(57)【要約】【課題】  鋏をシザーケースのポケット等から取り出したり収納したりする際に、ボルトやナットが引っ掛かることを防止して、スムーズな収納及び取り出し操作を可能とする鋏の支軸部の引っ掛かり防止部材を提供すること。【解決手段】  鋏の支軸部の引っ掛かり防止部材２００を、鋏刃体１１とボルト若しくはナット２０との間に取り付け可能とする基部２１０と、この基部２１０の一端から延設されて、ナット２０の上面から鋏刃体１１の刃部側１１ａの表面に向かって下降傾斜する刃部側傾斜面部２２０と、ボルト若しくはナット２０の上面から鋏刃体１１の柄部側１１ｂの表面に向かって下降傾斜する柄部側傾斜面部とを備えて形成する。【選択図】  図６
2008029481.tif 000002
【特許請求の範囲】
【請求項１】
二本の鋏刃体がボルトとナットとからなる支軸部により回動自在に軸着される鋏の、前記ボルトと前記鋏刃体との間若しくは前記ナットと前記鋏刃体との間に介在される基部と、
該基部の一端より延設され、前記ボルト若しくは前記ナットの上面から前記鋏刃体の刃部側に向かって下降傾斜して、前記鋏刃体の表面と前記ボルト若しくはナットの上面とを連続させる面を有する刃部側傾斜面部とを備えることを特徴とする鋏の支軸部の引っ掛かり防止部材。
【請求項２】
基部の他端より延設されて、ボルト若しくはナットの上面から鋏刃体の柄部側に向かって下降傾斜し、前記鋏刃体の柄部側表面と前記ボルト若しくは前記ナットの上面とを連続させる面を有する柄部側傾斜面部を備えることを特徴とする請求項１に記載の鋏の支軸部の引っ掛かり防止部材。
【請求項３】
刃部側傾斜面部の上面と柄部側傾斜面部の上面とを連設して形成され、ボルト若しくはナットの上面を被覆する被覆部を備えることを特徴とする請求項２に記載の鋏の支軸部の引っ掛かり防止部材。
【請求項４】
二本の鋏刃体がボルトとナットとからなる支軸部により回動自在に軸着される鋏の前記ボルトと前記鋏刃体との間若しくは前記ナットと前記鋏刃体との間に介在される基部と、
該基部に開閉自在若しくは着脱自在に配設されて、前記ボルト若しくは前記ナットを被覆するカバー部とを備えることを特徴とする鋏の支軸部の引っ掛かり防止部材。
【請求項５】
カバー部が、開閉自在に配設される場合において、基部との間に配設されるバネによって付勢されることを特徴とする請求項４に記載の鋏の支軸部の引っ掛かり防止部材。
【請求項６】
基部の一端には爪部が形成され、
カバー部は、前記基部の長手方向に沿ってスライド自在に配設されるとともに、その内側に前記爪部が係止される係止部が形成されており、
前記カバー部を閉じた状態でスライドさせることにより、前記爪部と前記係止部とを係止させて前記カバー部の開閉をロックできるようにしたことを特徴とする請求項４又は５に記載の鋏の支軸部の引っ掛かり防止部材。
【請求項７】
請求項１から６のいずれかに記載の鋏の支軸部の引っ掛かり防止部材を備えることを特徴とする鋏。
【発明の詳細な説明】
【技術分野】
【０００１】
本発明は、鋏のうち特に理美容用の鋏をシザーケース等に収納するとき若しくはシザーケース等から取り出すときに、二本の鋏刃体を回動自在に軸着するボルト若しくはナットがシザーケース等のポケットの入口に引っ掛かることを防止する鋏の支軸部の引っ掛かり防止部材に関する。
【背景技術】
【０００２】
理美容支は、髪をカットする作業は行うときに、例えば直線刃を有する通常のカット鋏や、櫛歯状の刃を有する梳き鋏等、カットの仕方に応じて鋏を使い分けて行なっている。そして、理美容師は、このような鋏の使い分けを作業中に手早く行えるように、図３０に示すような複数のポケットＰを備えるシザーケースＳを腰に装着し、このシザーケースＳのポケットＰに鋏を収納することによって、複数の鋏を携帯できるようにしている。
【０００３】
図３１には、一般的な理美容用の鋏１０が示されている。この鋏１０は、ボルト３０とナット２０とを用いて二本の鋏刃体１１、１１を軸着するものである。この鋏１０では、図３２に示すように、ナット２０が鋏刃体の表面から突出しており、この突出したナット２０を指先で摘んで締めたり緩めたりすることで、二本の鋏刃体１１、１１の締結力を簡単に調整することができる。
【０００４】
ところが、ナット２０が鋏刃体１１の表面から突出した鋏１０では、図３２に示すように、鋏刃体１１の表面とナット２０の上面との間に段差Ｄが生じる。このため、シザーケースのポケットに鋏１０を収納したり、シザーケースから取り出したりする場合に、図３３に示すようにナット２０がシザーケースＳのポケットＰの入り口に引っ掛かってしまい、鋏１０のスムーズな収納、取り出しの妨げとなっていたのである。
【０００５】
一方で、図３４及び図３５に示すように、ナット２０の突出量を抑えた鋏が提案されている。図３４及び図３５に示す鋏１０は、二本の鋏刃体をボルト３０とナット２０で軸着する点で上記の鋏と共通するが、ナット２０が大きく突出しないように、鋏刃体１１にザグリ穴を設けて、このザグリ穴にナット２０が収まるようになっている。この鋏１０によれば、ナット２０が鋏刃体１１の表面から大きく突出しないため、鋏１０をシザーケースＳに収納したり、シザーケースＳから取り出したりする際にナット２０が引っ掛かることはなくなるが、指で緩締操作を行うことができず、別途専用の工具が必要となり、締結力の調整操作が煩雑となっていた（例えば、特許文献１参照）。
【特許文献１】特開２００４−８３７６号公報、図１０乃至図１２
【発明の開示】
【発明が解決しようとする課題】
【０００６】
そこで、本発明は、二本の鋏刃体を軸着するボルト・ナットの緩締操作を容易に行えることができるようにしながら、鋏をシザーケースのポケット等から取り出したり収納したりする際にもボルトやナットの引っ掛かりがなく、スムーズな収納及び取り出し操作を可能とする鋏の支軸部の引っ掛かり防止部材を提供することを課題とするものである。
【課題を解決するための手段】
【０００７】
上記課題を解決するために、まず、請求項１に記載の発明が採った手段は、二本の鋏刃体がボルトとナットとからなる支軸部により回動自在に軸着される鋏の、前記ボルトと前記鋏刃体との間若しくは前記ナットと前記鋏刃体との間に介在される基部と、該基部の一端より延設され、前記ボルト若しくは前記ナットの上面から前記鋏刃体の刃部側に向かって下降傾斜して、前記鋏刃体の表面と前記ボルト若しくはナットの上面とを連続させる面を有する刃部側傾斜面部とを備えることを特徴とする鋏の支軸部の引っ掛かり防止部材、である。
【０００８】
この鋏の支軸部の引っ掛かり防止部材（以下、単に「引っ掛かり防止部材」という）は、鋏刃体の表面と、これより突出するボルト若しくはナットとの間に生じる段差をなくし、鋏をシザーケースのポケット等に収納するときにナットがポケットの入り口に引っ掛かることなく、スムーズな収納操作を行えるようにするものである。すなわち、請求項１に記載の引っ掛かり防止部材は、鋏刃体とボルト若しくはナットとの間に取り付け可能とする基部と、この基部の一端から延設されて、ナットの上面側から鋏刃体の刃部側表面に向かって傾斜する刃部側傾斜面部とを備えて形成される。そして、この刃部側傾斜面部が、鋏刃体の刃部側の表面とボルト若しくはナットの上面との間の段差を埋めて、両者が連続した面をなすように機能する。この引っ掛かり防止部材を鋏に取り付けることにより、鋏をシザーケースのポケットに収納するときに生じるボルト若しくの引っ掛かりを解消することができる。
【０００９】
また、請求項２に記載した発明が採った手段は、基部の他端より延設されて、前記ボルト若しくは前記ナットの上面から前記鋏刃体の柄部側に向かって下降傾斜し、前記鋏刃体の柄部側表面と前記ボルト若しくは前記ナットの上面とを連続させる面を有する柄部側傾斜面部を備えることを特徴とする請求項１に記載の鋏の支軸部の引っ掛かり防止部材、である。
【００１０】
請求項２に係る引っ掛かり防止部材は、請求項１に係る引っ掛かり防止部材に、さらに柄部側傾斜面部を設けたものである。つまり、ボルト若しくはナットの上面と、鋏刃体の柄部側表面との間に生じる段差をなくして、両者が一連の面をなすようにする柄部側傾斜面部を設けることにより、鋏をシザーケースのポケット等から取り出す際においてもボルトもしくはナットが引っ掛かることを防止できるようにしたものである。
【００１１】
また、請求項３に記載した発明が採った手段は、刃部側傾斜面部の上面と柄部側傾斜面部の上面とを連設して形成され、ボルト若しくはナットの上面を被覆する被覆部を備えることを特徴とする請求項２に記載の鋏の支軸部の引っ掛かり防止部材、である。
【００１２】
請求項３に係る引っ掛かり防止部材は、請求項２に係る引っ掛かり防止部材に改良を加えたものであって、刃部側傾斜面部及び柄部側傾斜面部に加えて、ボルト若しくはナットの上面を被覆する被覆部を形成したものである。この被覆部は、刃部側傾斜面部の上面と柄部側傾斜面部の上面とを連設することにより形成される。これにより、鋏に取り付けたときに、鋏全体の美感を向上させることができる。また、被覆部の表面に、宝石やビーズ等の装飾品を取り付けたり、絵や模様を施したりすることも可能となるので、アクセサリーとしての機能を持たせることもできるようになる。
【００１３】
また、請求項４に記載した発明が採った手段は、二本の鋏刃体がボルトとナットとからなる支軸部により回動自在に軸着される鋏の、前記ボルトと前記鋏刃体との間若しくは前記ナットと前記鋏刃体との間に介在される基部と、該基部に開閉自在若しくは着脱自在に配設されて、前記ボルト若しくは前記ナットを被覆するカバー部とを備えることを特徴とする鋏の支軸部の引っ掛かり防止部材、である。
【００１４】
この引っ掛かり防止部材は、カバー部により鋏刃体の表面から突出するボルト若しくはナットの全体を被覆することによって、シザーケースのポケット等からの鋏の取り出し時及び収納時にボルト若しくはナットが引っ掛からないようにしたものである。また、カバー部が開閉自在若しくは着脱自在に配設されるので、引っ掛かり防止部材の全部を取り外さずに、カバー部を開けて又はカバー部のみを取り外してボルト若しくはナットの緩締操作を行えるようにしている。
【００１５】
また、請求項５に記載した発明が採った手段は、カバー部が、開閉自在に配設される場合において、基部との間に配設されるバネによって付勢されることを特徴とする請求項４に記載の鋏の支軸部の引っ掛かり防止部材、である。
【００１６】
すなわち、カバー部をバネで付勢することで、カバー部の開閉操作を容易にしたものである。
【００１７】
また、請求項６に記載した発明が採った手段は、基部の一端には爪部が形成され、カバー部は、前記基部の長手方向に沿ってスライド自在に配設されるとともに、その内側に前記爪部が係止される係止部が形成されており、前記カバー部を閉じた状態でスライドさせることにより、前記爪部と前記係止部とを係止させて前記カバー部の開閉をロックできるようにしたことを特徴とする請求項４又は５に記載の鋏の支軸部の引っ掛かり防止部材、である。
【００１８】
すなわち、この引っ掛かり防止部材は、カバー部と基部との間にロック機構を設けることにより、カバー部が不意に開くことを防止するものである。
【００１９】
また、請求項７に記載した発明が採った手段は、請求項１から６のいずれかに記載の鋏の支軸部の引っ掛かり防止部材を備えることを特徴とする鋏、である。請求項１から６のいずれかに記載の引っ掛かり防止部材を備えることにより、シザーケースのポケット等から鋏を取り出したり、収納したりするときに、ボルト若しくはナットが引っ掛かることが防止されるので、取り出し操作及び収納操作をスムーズに行うことができるようになる。
【発明の効果】
【００２０】
請求項１に記載した引っ掛かり防止部材によれば、刃部側傾斜面部を備えることにより、鋏刃体の表面から突出するボルト若しくはナットと鋏刃体の刃部の表面とを連続させる面を形成することができるので、両者の間に段差がなくなり、鋏をシザーケースのポケット等に収納する際にボルトもしくはナットの引っ掛かりが防止されて、収納操作をスムーズに行うことができるようになる。また、二本の鋏刃体を軸着するボルト若しくはナットと鋏刃体との間に基部を介在させるだけ取り付けが可能なので、既存の鋏に簡単に取り付けることができる。
【００２１】
また、請求項２に記載した引っ掛かり防止部材によれば、請求項１に記載の引っ掛かり防止部材の効果に加えて、柄部側傾斜面部を備えることにより、鋏刃体より突出するボルト若しくはナットと鋏の柄部の表面とを連続させる面を形成することができるので、両者の間に段差がなくなり、シザーケースのポケット等に収納された鋏を取り出す際にもボルト若しくはナットの引っ掛かりが防止されて、取り出し操作をスムーズに行うことができるようになる。
【００２２】
また、請求項３に記載した引っ掛かり防止部材によれば、請求項２に記載の引っ掛かり防止部材の効果に加えて、刃部側傾斜面部の上面と柄側傾斜面部の上面とを連設してボルト若しくはナットの上面を被覆する被覆部を形成するので、鋏の美感をより向上させることができる。また、被覆部に宝石やビーズ等の装飾品を取り付けたり、絵や模様を描いたりすることができるので、アクセサリーとしても使用も可能となる。
【００２３】
また、請求項４に記載した引っ掛かり防止部材によれば、鋏刃体から突出するボルト若しくはナットを被覆するカバー部により、鋏をシザーケースに収納したり、シザーケースのポケット等から取り出したりするときに、ボルト若しくはナットが引っ掛かることを防止することができる。また、カバー部に宝石やビーズ等の装飾品を取り付けたり、絵や模様を描いたりすることができるので、アクセサリーとしても使用も可能となる。
【００２４】
また、請求項５に記載した引っ掛かり防止部材によれば、請求項４に記載の引っ掛かり防止部材の効果に加えて、カバー部を基部との間に配設したバネによって付勢することにより、カバー部の開閉操作を容易に行うことができる。
【００２５】
また、請求項６に記載した引っ掛かり防止部材によれば、請求項４又は５に記載の引っ掛かり防止部材の効果に加えて、基部の一端に形成された爪部とカバー部の内側に形成された係止部とを係止させることにより、カバー部の開閉を確実にロックすることができる。また、カバー部をスライド自在に配設し、これを長手方向にスライドさせることによって爪部と係止部との係止及び解除ができるので、ロック操作を容易に行うことができる。
【００２６】
また、請求項７に記載した鋏によれば、請求項１から６のいずれかに記載した引っ掛かり防止部材を備えることにより、鋏をシザーケースのポケット等に収納したり、シザーケースのポケット等から取り出したりする際に、鋏刃体から突出するボルト若しくはナットが引っ掛かることを防止することができる。
【発明を実施するための最良の形態】
【００２７】
以下に本発明の実施例を図に基づいて説明する。
【実施例１】
【００２８】
図１から図４には、実施例１に係る引っ掛かり防止部材１００について示されている。図１に示すように、引っ掛かり防止部材１００は、基部１１０と刃部側傾斜面部１２０とからなる。この引っ掛かり防止部材１００の材質は特に限定されるものではないが、鋏の操作性に支障をきたさないよう、例えばプラスチック等の軽量な材質から作成することが好ましい。
【００２９】
基部１１０は、引っ掛かり防止部材１００の鋏１０への取り付けに際し、鋏刃体１０とナット２０との間に介在される部分である。このため、基部１１には、二本の鋏刃体１１、１１を枢着するボルト２０が挿通される穴部１１１が形成されている。
【００３０】
刃部側傾斜面部１２０は、基部１１０の一端側から延設された部分であり、その形状は表面が曲面からなる側面視山型に形成されている。この刃部側傾斜面部１２０は、図２及び図３に示すように、引っ掛かり防止部材１００が鋏１０に取り付けられたときに、ナット２０の上面と鋏刃体１０の表面との間の段差Ｄを埋めるように配設されて、ナット２０の上面と鋏刃体１０の表面とが連続した面をなすようにするものである。
【００３１】
図４には、引っ掛かり防止部材１００を鋏に取り付ける方法を説明する鋏の分解斜視図が示されている。図４に示すように、引っ掛かり防止部材１００の鋏への取り付けは、まず、基部の穴部に２本の鋏刃体１１、１１を軸着するボルト３０を挿通させ、次いで、ボルトにナットを締め付けることによって行う。つまり、引っ掛かり防止部材１００は、基部１１１が鋏刃体１１とナット２０との間に挟まれるようにして取着される。
【００３２】
尚、図４に示されている皿バネ４０は、ボルト３０に螺合させたナット２０を上方に付勢するものである。これにより、二本の鋏刃体１１、１１の締結力の微調整が行うことができるようになる。また、皿バネ４０には、凸部４１が形成されており、この凸部４１がナット２０の裏面に形成される凹凸部と係止することで、ナット２０の回り止めとしても機能する。
【００３３】
このようにして、実施例１に係る引っ掛かり防止部材１００を鋏に取り付けることにより、鋏刃体１１の刃部側表面１１ａとナット２０の上面とが、刃部側傾斜面部２３０を介して連続した面をなすようになる。これにより、鋏刃体１１の刃部側表面１１ａとナット１０の上面との間の段差Ｄがなくなるので、シザーケースのポケット等に収納された鋏１０を取り出すときにもナット２０が引っ掛かることがなくなり、収納操作をスムーズに行うことができるようになる。
【実施例２】
【００３４】
図５から図７には、実施例２に係る引っ掛かり防止部材２００について示されている。図５に示すように、引っ掛かり防止部材２００は、基部２１０と、刃部側傾斜面部２２０と、柄部側傾斜面部２３０とからなる。基部２１０と刃部側傾斜面部２２０とは、それぞれ実施例１の引っ掛かり防止部材１００における基部１１０と刃部側傾斜面部１２０と同様に構成されている。よって、ここでは、基部２１０及び刃部側傾斜面部２２０についての説明は省略し、柄部側傾斜面部２３０について詳述する。
【００３５】
図５に示すように、柄部側傾斜面部２３０は、基部２１０のうち刃部側傾斜面部２２０が形成される側と対向する側より延設され、刃部側傾斜面部２２０の長さよりやや長さを有して形成されている。そして、図６に示すように、柄部側傾斜面部２３０は、引っ掛かり防止部材２００を鋏１０に取り付けた状態で、鋏刃体１１の柄部側１１ｂに配置される。
【００３６】
図７には、引っ掛かり防止部材２００を鋏に取り付ける方法を説明する分解斜視図が示されている。引っ掛かり防止部材２００の鋏への取り付け方法は、実施例１における引っ掛かり防止部材１００の取り付け方法と同様に、２本の鋏刃体１１、１１を軸着するボルト３０を基部２１０の穴部２１１に挿通させ、その後、ボルト３０にナット２０を螺合させて締めつけることによって、引っ掛かり防止部材２００の基部２１１が鋏刃体１１とナット２０との間に挟まれるようにして取着される。
【００３７】
そして、図８に示すように、引っ掛かり防止部材２００が鋏１０に取り付けられることにより、鋏刃体１１の柄部側１１ｂの表面とナット２０の上面との間の段差Ｄがなくなり、両者が柄部側傾斜面部２３０を介して連続した面をなすようになる。これにより、シザーケースのポケット等に収納された鋏１０を取り出すときにもナット２０が引っ掛かることを防止できるので、刃部側傾斜面部２２０と相俟って、鋏の取り出し及び収納操作をスムーズに行うことができるようになる。
【実施例３】
【００３８】
図９から図１２には、実施例３に係る引っ掛かり防止部材３００について示されている。ここで、図９から図１２に示す引っ掛かり防止部材３００は、説明の便宜上、二本の鋏刃体１１、１１を軸着するためのナット２０が組み込まれた状態で記載されている。
【００３９】
引っ掛かり防止部材３００は、図９及び図１０に示すように、基部３１０と、刃部側傾斜面部３２０と、柄部側傾斜面部３３０とを備えており、その基本的な構成は、実施例２の引っ掛かり防止部材２００と同様である。しかし、実施例２に係る引っ掛かり防止部材２００は、二本の鋏刃体１１、１１を軸着するボルト３０とナット２０との間に皿バネ４０を介在させた鋏に取り付けられるものであるところ、本実施例に係る引っ掛かり防止部材３００は、皿バネ４０にかえて板バネ５０を使用する鋏に取り付けられるようにしたものである。
【００４０】
図１１及び図１２に示すように、引っ掛かり防止部材３００には、基部３１０とナット２０との間に板バネ５０が収容できるように、基部３１０と刃部側傾斜面部３２０との間及び基部２１０と柄部側傾斜面部３３０との間に、それぞれ空隙Ｘが形成されている。そして、刃部側傾斜面部３２０及び柄部側傾斜面部３３０の一方の側面には、それぞれ空隙Ｘに連通する開口部Ｙが形成されている。そして、引っ掛かり防止部材３００を鋏に取り付ける際には、この開口部Ｙから空隙Ｘ内に板バネ５０を差し込んで収納し、その後、実施例１及び２と同様に、二本の鋏刃体１１、１１を軸着するボルト３０を挿通し、これにナット２０を螺合させて締め付けることによって行う。
【００４１】
また、板バネ５０を備える鋏では、髪をカットしている際に、板バネ５０と鋏刃体１１との間に生じる隙間に、カットされた髪の毛が詰まるという問題があった。そこで、引っ掛かり防止部材３００では、板バネ５０と基部３１０との間に髪の毛の詰まりが生じないよう図１２に示すように、開口部Ｙが形成される側面と反対側の側面を閉塞して形成している。
【実施例４】
【００４２】
図１３から図１７には、実施例４に係る引っ掛かり防止部材４００について示されている。ここで、図１３から図１７に記載の引っ掛かり防止部材４００は、説明の便宜上、二本の鋏刃体を軸着するためのナット２０が組み込まれた状態で記載されている。
【００４３】
実施例４に係る引っ掛かり防止部材４００は、実施例２に係る引っ掛かり防止部材２００に改良を加えたものであって、さらに被覆部４４０を形成したものである。従って、ここでは基部４１０と、刃部側傾斜面部４２０と、柄部側傾斜面部４３０とについては、説明を省略し、実施例２に係る引っ掛かり防止部材２００との相違点である被覆部４４０についてのみ説明する。
【００４４】
図１３から図１５に示すように、被覆部４４０は、引っ掛かり防止部材４００のうち、二本の鋏刃体１１、１１を軸着するナット２０の上面を覆う部分であって、刃部側傾斜面部４２０の上面と柄部側傾斜面部４３０の上面とを連設することによって形成されている。しかし、被覆部４４０によりナット２０の上面を全て覆ってしまうと、二本の鋏刃体１１、１１の締結力を調整するためナット２０の緩締操作をするときに、指でナット２０を摘むことが困難となる。このため、引っ掛かり防止部材４００では、図１６及び図１７に示すように、被覆部４４０の幅Ｗ1がナット２０の幅Ｗ2よりもやや狭くなるように形成することでナットを摘み易くして、緩締操作に支障をきたさないようにしている。
【００４５】
実施例４に係る引っ掛かり防止部材４００によれば、刃部側傾斜面部４２０及び柄部側傾斜面部４３０を備えることにより、シザーケースのポケット等からの鋏を取り出し、収納の際に、ナットが引っ掛かることがなくなって出し入れをスムーズに行えるようになる。さらに、被覆部４４０によりナット２０の上面を被覆することによって、鋏の外観を向上させることができる。また、被覆部４４０に、例えば、宝石やビーズ等の装飾品を取り付けたり、絵や模様を施したり等して、アクセサリーとしても使用することもできる。
【実施例５】
【００４６】
図１８から図２１には、実施例５に係る引っ掛かり防止部材５００について示されている。この引っ掛かり防止部材５００は、実施例２と同様に、基部５１０と、刃部側傾斜面部５２０と柄部側傾斜面部５３０とを備えるが、柄部側傾斜面部５３０が、第一柄部傾斜面部５３０ａと、第二柄部側傾斜面部５３０ｂとに二分割して形成されている点で相違している。
【００４７】
第二柄部側傾斜面部５３０ｂは、図１８から図２１に示すように、基部５１０に長手方向（図２０及び図２１にそれぞれ示す矢印Ａ、Ｂ方向）にスライド自在に配設される。そして、第二柄部傾斜面部５３０ｂには、第一柄部側傾斜面部５３０ａに設けられたロックピン５３１が嵌合されるピン孔５３２が形成されている。すなわち、第二柄部傾斜面部５３０ｂを図２０に示す矢印Ａ方向にスライドさせると、ロックピン５３１とピン孔５３２とが嵌合し、これにより第一柄部側傾斜面部５３０ａと第二柄部側傾斜面部５３０ｂとが一体となるようになっている。
【００４８】
さらに、第二柄部傾斜面部５３０ｂには、その内面下方から舌片５３３が延設されている。この舌片５３３は、第二柄部側傾斜面部５３０ｂを、図２０に示す矢印Ａ方向にスライドさせたときに、皿バネ４０と基部５１０との間に入り込んで、皿バネ４０を上方に押し上げる。すると、皿バネの凸部４１がナット２０の下面の凹凸部２１に押しつけられて、凸部４１と凹凸部２１との係止がより確実に行わることとなる。
【実施例６】
【００４９】
図２２から図２６には、実施例６に係る引っ掛かり防止部材６００について示されている。引っ掛かり防止部材６００は、図２３に示すように、鋏１０において二本の鋏刃体１１、１１を軸着するナットの全部を覆うことにより、シザーケースのポケット等への収納、取り出しを行う際に、ナットが引っ掛からないようにするものである。この引っ掛かり防止部材６００は、基部６１０と、カバー部６２０とを備える。
【００５０】
基部６１０は、引っ掛かり防止部材６００を鋏１０に取り付ける際に、鋏刃体１１とナットとの間に介在される部分である。基部６１０は、穴部６１１と、爪部６１２と、カバー部取付片６１３と、柄部側傾斜面部６１４と、バネ６１５とを備える。
【００５１】
穴部６１１は、二本の鋏刃体１１、１１を軸着するボルトを挿通させるために形成されるものである。爪部６１２は、基部６１０の一端側、すなわち、カバー部６００を鋏１０に取り付けた際に鋏刃体１１の刃部側１１ａを向く側に形成され、後述するカバー部６２０に形成される係止部６２１が係止される部分である。カバー部取付片６１３は、後述するカバー部６２０が上下方向に開閉自在に取り付けられる部分であり、その外側面にはカバー部６２０に設けられるピン６２２が係止されるスライド溝６１３ａが形成されている。柄部側傾斜面部６１４は、基部６１０の他端側、すなわちカバープレート６００を鋏１０に取り付けた際に鋏刃体１１の柄部側１１ｂを向く側に形成されて、カバー部６２０の上面と鋏刃体１１の柄部側の表面１１ｂとが連続した面をなすようにするものである。バネ６１５は、カバー部取付片６１３に取り付けられたカバー部６２０を上方に付勢して開閉操作を容易にするものである。
【００５２】
カバー部６２０は、引っ掛かり防止部材６００が鋏１０に取り付けられたときに、二本の鋏刃体１１、１１を軸着するナット全体を被覆するものであり、その表面は曲面をなして形成されている。カバー部６２０は、ピン６２１と係止部６２２とを備える。ピン６２２は、カバー部６２０の内側面に対向して二つ設けられている。そして、このピン６２２を、基部６１０に形成されるカバー部取付片６１３のスライド溝６１３ａに係止することにより、カバー部６２０が基部６１０に上下方向に開閉自在に取り付けられる。係止部６２２は、カバー部６２０の先端の内側に形成されており、基部６１０に形成される爪部６１１が係止される部分である。
【００５３】
次に、図２５に基づいて、引っ掛かり防止部材６００におけるカバー部６２０の開閉操作について説明する。図２５（ａ）には、カバー部６２０を閉じた状態の引っ掛かり防止部材６００が示されている。図２５（ａ）において、カバー部６２０の係止部６２２は、カバー部６２０が開かないように基部６１０の爪部６１２と係止状態にある。そして、カバー部６２０を開く場合には、図２５（ｂ）に示すように、カバー部６２０を矢印Ｃ方向にスライドさせて係止部６２２と爪部６１２との係止を解除する。すると、図２５（ｃ）に示すように、カバー部６２０は、バネ６１５によって上方へと付勢されて、ピン６２１とスライド溝６１３ａとの係止部分を支点として上方に開くこととなる。このとき、図２６に示すように、ナット２０は露出した状態となり、ナットの緩締操作が行なえるようになる。尚、開いたカバー部６２０を閉める場合には、開く操作と逆の手順で操作を行えばよい。
【００５４】
実施例６に係る引っ掛かり防止部材６００によれば、二本の鋏刃体１１、１１を軸着するナット２０全体を被覆するカバー部６２０によって、鋏１０をシザーケースのポケット等に収納したり、取り出したりするときに、ナットが引っ掛かることが防止されるので、収納、取り出し操作をスムーズに行うことができるようになる。また、カバー部６２０の表面に、例えば、宝石やビーズ等の装飾品を取り付けたり、絵や模様を描くことによって、アクセサリーとしても使用することができる。
【００５５】
尚、本実施例に係る引っ掛かり防止部材６００では、基部６１０とカバー部６２０との間にバネ６１５を配設し、このバネ６１５によりカバー部６２０を上方へ付勢して開く構成を採っているが、バネ６１５を配設せずに、手動で開く構成としてもよい。また、カバー部６２０は、ナット２０の緩締操作を行うときに、取り外しができるように基部６１０に対して着脱自在に配設してもよい。
【００５６】
以上、実施例に基づき本発明を説明したが、上記実施例は本発明の趣旨を逸脱しない範囲内で種々の改良変形をすることが可能であり、本発明の技術的範囲には、これらの改良変形が含まれる。例えば、上記実施例では、刃部側傾斜面部及び柄部側傾斜面部の表面は曲面を描いて形成されているがこれを平面としてもよいし、図２７に示すように柄部側傾斜面部の変わりに指当てＦを形成してもよい。尚、上記実施例は、基部をナットと鋏刃体との間に介在させた例を示しているが、ボルトが鋏刃体の表面から突出している鋏についても同様に適用することができることは勿論である。
【参考例】
【００５７】
図２８及び図２９には、本発明に係る引っ掛かり防止部材の応用例が示されている。図２８及び図２９に示す応用例は、本発明に係る引っ掛かり防止部材が基部を備え、この基部を二本の鋏刃体を軸着するボルト若しくはナットの間に介在させて取り付ける点に着目したものであり、図２８に示すレザー７０１や、図２９に示す櫛７０２等の鋏以外の理美容具を鋏に取り付けできるようにするアタッチメント７００としたものである。
【００５８】
理美容師が髪をカットする際には、鋏を使ったカットとレザーを使ったカットを交互に行ったり、あるいはカットと櫛通しを交互に行ったりすることが頻繁に行われている。この場合、理美容師は、鋏と櫛又は鋏とレザーとを交互に持ち替えなければならないところ、図２８及び図２９に示すように、レザーや櫛をアタッチメント化して鋏と一体にすれば、このような持ち替えが不要となるので、作業効率の向上を図ることができる。
【図面の簡単な説明】
【００５９】
【図１】実施例１に係る引っ掛かり防止部材の斜視図である。
【図２】実施例１に係る引っ掛かり防止部材が取り付けられた鋏の斜視図である。
【図３】実施例１に係る引っ掛かり防止部材を鋏に取り付けた状態を示す拡大側面図である。
【図４】実施例１に係る引っ掛かり防止部材を鋏に取り付ける方法を説明するための鋏の分解斜視図である。
【図５】実施例２に係る引っ掛かり防止部材の斜視図である。
【図６】実施例２に係る引っ掛かり防止部材が取り付けられた鋏の斜視図である。
【図７】実施例２に係る引っ掛かり防止部材を鋏に取り付ける方法を説明するための鋏の分解斜視図である。
【図８】実施例２に係る引っ掛かり防止部材を鋏に取り付けた状態を示す拡大側面図である。
【図９】実施例３に係る引っ掛かり防止部材の斜視図である。
【図１０】実施例３に係る引っ掛かり防止部材の平面図である。
【図１１】実施例３に係る引っ掛かり防止部材の側面図である。
【図１２】実施例３に係る引っ掛かり防止部材の背面図である。
【図１３】実施例４に係る引っ掛かり防止部材の斜視図である。
【図１４】実施例４に係る引っ掛かり防止部材が取り付けられた鋏の斜視図である。
【図１５】実施例４に係る引っ掛かり防止部材を鋏に取り付けた状態を示す拡大側面図である。
【図１６】実施例４に係る引っ掛かり防止部材の平面図である。
【図１７】実施例４に係る引っ掛かり防止部材の背面図である。
【図１８】実施例５に係る引っ掛かり防止部材の側面図である。
【図１９】実施例５に係る引っ掛かり防止部材の平面図である。
【図２０】図１９のＸ−Ｘ断面図である。
【図２１】図１９のＸーＸ断面図である。
【図２２】実施例６に係る引っ掛かり防止部材の斜視図である。
【図２３】実施例６に係る引っ掛かり防止部材が取り付けられた鋏の斜視図である。
【図２４】実施例６に係る引っ掛かり防止部材の分解斜視図である。
【図２５】実施例６に係る引っ掛かり防止部材の側面図であって、カバー部を開くときの操作方法を説明する図である。
【図２６】実施例６に係る引っ掛かり防止部材が取り付けられた鋏であって、引っ掛かり防止部材のカバー部が開いた状態を示す斜視図である。
【図２７】他の実施形態の引っ掛かり防止部材が取り付けられた鋏の斜視図である。
【図２８】本発明に係る引っ掛かり防止部材の応用例を示す図である。
【図２９】本発明に係る引っ掛かり防止部材の応用例を示す図である。
【図３０】シザーケースのポケットに鋏が収納された状態を示す図である。
【図３１】一般的な理美容鋏の斜視図である。
【図３２】図３１に示す理美容鋏のナット部分の拡大側面図である。
【図３３】シザーケースを側面から見た図であって、シザーケースのポケットに鋏を収納する際に、鋏のナットがポケットの入口に引っ掛かる様子を説明する図である。
【図３４】二本の鋏刃体を軸着するナット部分に改良が加えられた鋏の斜視図である。
【図３５】図３４に示す理美容鋏のナット部分の拡大側面図である。
【符号の説明】
【００６０】
１０  鋏
１１  鋏刃体
２０  ナット
３０  ボルト
１００、２００、３００、４００、５００、６００  引っ掛かり防止部材
１１０、２１０、３１０、４１０、５１０、６１０  基部
１２０、２２０、３２０、４２０、５２０  刃部側傾斜面部
２３０、３３０、４３０、５３０  柄部側傾斜面部
４４０  被覆部
６２０  カバー部
６１２  爪部
６１５  バネ
６２１  ピン
６２２  係止部
【図１】
2008029481.tif 000003
【図２】
2008029481.tif 000004
【図３】
2008029481.tif 000005
【図４】
2008029481.tif 000006
【図５】
2008029481.tif 000007
【図６】
2008029481.tif 000008
【図７】
2008029481.tif 000009
【図８】
2008029481.tif 000010
【図９】
2008029481.tif 000011
【図１０】
2008029481.tif 000012
【図１１】
2008029481.tif 000013
【図１２】
2008029481.tif 000014
【図１３】
2008029481.tif 000015
【図１４】
2008029481.tif 000016
【図１５】
2008029481.tif 000017
【図１６】
2008029481.tif 000018
【図１７】
2008029481.tif 000019
【図１８】
2008029481.tif 000020
【図１９】
2008029481.tif 000021
【図２０】
2008029481.tif 000022
【図２１】
2008029481.tif 000023
【図２２】
2008029481.tif 000024
【図２３】
2008029481.tif 000025
【図２４】
2008029481.tif 000026
【図２５】
2008029481.tif 000027
【図２６】
2008029481.tif 000028
【図２７】
2008029481.tif 000029
【図２８】
2008029481.tif 000030
【図２９】
2008029481.tif 000031
【図３０】
2008029481.tif 000032
【図３１】
2008029481.tif 000033
【図３２】
2008029481.tif 000034
【図３３】
2008029481.tif 000035
【図３４】
2008029481.tif 000036
【図３５】
2008029481.tif 000037